(57)【特許請求の範囲】
【請求項１】
被検体にＸ線を照射するＸ線管球と、入射した前記Ｘ線の光子を検出する複数の検出素子を有する検出器とを保持する回転フレームと、
前記回転フレームに固定され、前記Ｘ線のエネルギー分布上に設定されたエネルギー帯、前記Ｘ線管球の位置及び前記検出素子ごとに前記Ｘ線の光子の数を計数した計数データを収集する光子計数部と、
前記回転フレームに固定され、前記計数データに基づいて、前記計数データよりもデータ量が少ない複数の概略計数データを生成する生成部と、
複数の前記概略計数データにデータ量が少ない順に優先順位を設定する設定部と、
前記回転フレームに固定され、複数の前記概略計数データを前記計数データよりも先に送信する送信部と、
を備え、
前記送信部は、複数の前記概略計数データを前記優先順位に従って送信する、光子計数型Ｘ線ＣＴ装置。
【請求項２】
前記生成部は、前記計数データの一部を前記概略計数データとする、請求項１に記載の光子計数型Ｘ線ＣＴ装置。
【請求項３】
前記生成部は、前記計数データのうち前記Ｘ線管球の位置及び前記検出素子の少なくとも一方が所定の位置にあるデータを前記概略計数データとする、請求項２に記載の光子計数型Ｘ線ＣＴ装置。
【請求項４】
前記生成部は、前記計数データのうち関心領域に相当するデータを前記概略計数データとする、請求項２に記載の光子計数型Ｘ線ＣＴ装置。
【請求項５】
前記生成部は、前記計数データのうち関心領域を含むスライス方向に相当する部分を前記概略計数データとする、請求項２に記載の光子計数型Ｘ線ＣＴ装置。
【請求項６】
前記生成部は、前記計数データのうち注目物質のＫ吸収端より低いエネルギー帯及び高いエネルギー帯のデータを前記概略計数データとする、請求項１から請求項５のいずれか一つに記載の光子計数型Ｘ線ＣＴ装置。
【請求項７】
前記生成部は、データ圧縮を使用して前記概略計数データを生成する、請求項１から請求項５のいずれか一つに記載の光子計数型Ｘ線ＣＴ装置。
【請求項８】
前記生成部は、前記概略計数データとして、前記Ｘ線管球の位置及び前記検出素子が同一の前記計数データの光子の数を複数の前記エネルギー帯に亘って加算した加算計数データを生成する、請求項１に記載の光子計数型Ｘ線ＣＴ装置。
【請求項９】
前記生成部は、複数の前記加算計数データを生成する、請求項８に記載の光子計数型Ｘ線ＣＴ装置。
【請求項１０】
前記生成部は、前記概略計数データとして、前記Ｘ線管球の位置及び前記検出素子が同一の前記計数データの光子の数を全ての前記エネルギー帯に亘って加算した加算計数データを生成する、請求項１に記載の光子計数型Ｘ線ＣＴ装置。
【請求項１１】
前記生成部は、前記概略計数データとして、前記Ｘ線管球の位置及び前記検出素子が同一の前記計数データの光子の数と当該光子の数が計数されたエネルギー帯のエネルギーとの積の全てのエネルギー帯に亘る総和を算出する、請求項１に記載の光子計数型Ｘ線ＣＴ装置。
【発明の詳細な説明】
【技術分野】
【０００１】
本発明の実施形態は、光子計数型Ｘ線ＣＴ装置に関する。
【背景技術】
【０００２】
Ｘ線ＣＴ装置のＤＡＳ（Data  Acquisition  System）は、Ｘ線管球及び検出器を保持する回転フレームに固定されているため、Ｘ線管球及び検出器と共に回転する。積分型Ｘ線ＣＴ装置のＤＡＳは、Ｘ線の実効エネルギーを算出し、投影データを生成する。光子計数型Ｘ線ＣＴ装置のＤＡＳは、Ｘ線のエネルギー分布上に設定されたエネルギー帯ごとにＸ線の光子の数を計数した計数データを生成する。計数データは、Ｘ線のエネルギー分布上に設定されたエネルギー帯ごとに生成されるため、積分型Ｘ線ＣＴ装置が生成する投影データよりもデータ量が多い。
【０００３】
そこで、従来の光子計数型Ｘ線ＣＴ装置は、計数データをコンソールへ送信する際にボトルネックとなるＤＡＳと架台の固定部との間の通信路容量の増加を抑制するため、次のような方法により、計数データをコンソールへ送信している。
【０００４】
例えば、従来の光子計数型Ｘ線ＣＴ装置のＤＡＳは、計数データを圧縮してから、コンソールへ送信する。或いは、従来の光子計数型Ｘ線ＣＴ装置のＤＡＳは、計数データをＤＡＳ内に設けられたメモリに一時的に格納しておき、ＤＡＳと架台の固定部との間の通信路容量に余裕があるときに計数データをコンソールへ送信する。
【０００５】
しかし、従来の光子計数型Ｘ線ＣＴ装置は、上述した方法で計数データをコンソールへ伝送しているため、撮影直後にＣＴ画像データを表示することが困難なことがあった。また、撮影直後にＣＴ画像データを表示するために通信路容量を増加させると、光子計数型Ｘ線ＣＴ装置の製造コストが増大してしまう。
【先行技術文献】
【特許文献】
【０００６】
【特許文献１】米国特許第８４０６５３７号明細書
【発明の概要】
【発明が解決しようとする課題】
【０００７】
本発明が解決しようとする課題は、通信路容量を増加させることなく、撮影直後におけるＣＴ画像データの表示を実現することができる光子計数型Ｘ線ＣＴ装置を提供することである。
【課題を解決するための手段】
【０００８】
実施形態に係る光子計数型Ｘ線ＣＴ装置は、回転フレームと、光子計数部と、生成部と、設定部と、送信部とを備える。回転フレームは、被検体にＸ線を照射するＸ線管球と、入射した前記Ｘ線の光子を検出する複数の検出素子を有する検出器とを保持する。光子計数部は、前記回転フレームに固定され、前記Ｘ線のエネルギー分布上に設定されたエネルギー帯、前記Ｘ線管球の位置及び前記検出素子ごとに前記Ｘ線の光子の数を計数した計数データを収集する。生成部は、前記回転フレームに固定され、前記計数データに基づいて、前記計数データよりもデータ量が少ない複数の概略計数データを生成する。設定部は、複数の前記概略計数データにデータ量が少ない順に優先順位を設定する。送信部は、前記回転フレームに固定され、複数の前記概略計数データを前記計数データよりも先に送信する。送信部は、複数の前記概略計数データを前記優先順位に従って送信する。
【図面の簡単な説明】
【０００９】
【図１】図１は、実施形態に係る光子計数型Ｘ線ＣＴ装置の構成例を示す図である。
【図２】図２は、実施形態に係る光子計数型Ｘ線ＣＴ装置が行う処理の一例を示すフローチャートである。
【図３】図３は、Ｘ線のエネルギー分布上に設定されたエネルギー帯の一例を示す図である。
【図４】図４は、計数データのあるビュー及びあるチャンネルにおけるエネルギー帯ごとの光子の数の一例を示す図である。
【図５】図５は、概略計数データのあるビュー及びあるチャンネルにおけるエネルギー帯ごとの光子の数の一例を示す図である。
【図６】図６は、概略計数データのあるビュー及びあるチャンネルにおけるエネルギー帯ごとの光子の数の一例を示す図である。
【図７】図７は、概略計数データのあるビュー及びあるチャンネルにおけるエネルギー帯ごとの光子の数の一例を示す図である。
【図８】図８は、概略計数データを再構成することにより生成されたＣＴ画像データの一例を示す図である。
【図９】図９は、図８に示したＣＴ画像データから導出された投影情報を示す図である。
【図１０】図１０は、注目物質のＫ吸収端近傍におけるＸ線の線減弱係数のエネルギー依存性の一例を示す図である。
【発明を実施するための形態】
【００１０】
以下、図面を参照しながら、実施形態に係る光子計数型Ｘ線ＣＴ装置を説明する。なお、以下の実施形態では、重複する説明は適宜省略する。
【００１１】
（実施形態）
図１を参照しながら、実施形態に係る光子計数型Ｘ線ＣＴ装置１の構成について説明する。図１は、実施形態に係る光子計数型Ｘ線ＣＴ装置の構成例を示す図である。光子計数型Ｘ線ＣＴ装置１は、図１に示すように、架台１０と、寝台２０と、コンソール３０とを備える。なお、光子計数型Ｘ線ＣＴ装置１の構成は、下記の構成に限定されるものではない。
【００１２】
架台１０は、高電圧発生回路１０１と、コリメータ調整回路１０２と、架台駆動回路１０３と、Ｘ線照射装置１０４と、検出器１０５と、回転フレーム１０６と、データ収集回路１０７と、送信回路１０８と、バッファ回路１０９と、受信回路１１０とを備える。
【００１３】
高電圧発生回路１０１は、後述するＸ線管球１０４１に管電圧を供給する。高電圧発生回路１０１は、後述する記憶回路３５に記憶されているプログラムを読み出して実行することにより、その機能を実現する。
【００１４】
コリメータ調整回路１０２は、後述するコリメータ１０４３の開口度及び位置を調整する。これにより、コリメータ調整回路１０２は、Ｘ線管球１０４１が被検体Ｐに照射するＸ線の照射範囲を調整する。コリメータ調整回路１０２は、後述する記憶回路３５に記憶されているプログラムを読み出して実行することにより、その機能を実現する。
【００１５】
架台駆動回路１０３は、回転フレーム１０６を回転させる。これにより、架台駆動回路１０３は、被検体Ｐを中心とした円軌道上でＸ線照射装置１０４及び検出器１０５を旋回させる。架台駆動回路１０３は、後述する記憶回路３５に記憶されているプログラムを読み出して実行することにより、その機能を実現する。
【００１６】
Ｘ線照射装置１０４は、Ｘ線管球１０４１と、ウェッジ１０４２と、コリメータ１０４３とを備える。Ｘ線管球１０４１は、被検体ＰにＸ線を照射する。Ｘ線管球１０４１は、高電圧発生回路１０１が供給する管電圧により、ビーム状のＸ線を発生させる。このビーム状のＸ線は、コーンビームとも呼ばれる。ウェッジ１０４２は、Ｘ線管球１０４１から照射されたＸ線の線量を調節するためのＸ線フィルタである。コリメータ１０４３は、Ｘ線の照射範囲を調整するためのスリットである。コリメータ１０４３の開口度及び位置は、コリメータ調整回路１０２により調整される。コリメータ１０４３の開口度の調整により、例えば、コーンビームのファン角及びコーン角が調整される。
【００１７】
検出器１０５は、入射したＸ線の光子を検出する複数の検出素子を有する。複数の検出素子は、第１方向及び第１方向と交差する第２方向に規則的に配置される。例えば、第１方向は回転フレーム１０６の円周方向、第２方向はスライス方向である。ここで、スライス方向は体軸方向である。なお、このような検出器は、多列検出器と呼ばれる。
【００１８】
検出素子は、シンチレータ、フォトダイオード及び光子計数型検出回路を有する。検出素子がシンチレータ及びフォトダイオードを有する検出器は、固体検出器と呼ばれる。光子計数型検出回路の入力端子は、フォトダイオードの出力端子に接続されている。光子計数型検出回路の出力端子は、データ収集回路１０７の入力端子に接続されている。
【００１９】
検出素子は、次のような方法により、入射したＸ線の光子を応答波形に変換する。検出素子は、入射したＸ線の光子をシンチレータにより光に変換する。検出素子は、この光をフォトダイオードにより電荷に変換する。この電荷は、光子計数型検出回路へ出力される。光子計数型検出回路は、この電荷に基づいてデータ収集回路１０７へ応答波形を出力する。応答波形は、Ｘ線管球１０４１の各位置において各検出素子に入射した個々の光子により発生したパルスを時系列に並べたデータである。
【００２０】
なお、検出器１０５は、直接変換型の検出器でもよい。直接変換型の検出器とは、検出素子に入射したＸ線の光子を直接電荷に変換する検出器である。この電荷は、Ｘ線の光子の入射によって発生する電子が正電位の集電電極に向かって移動すること及びＸ線の入射によって発生する正孔が負電位の集電電極に向かって移動することの少なくとも一方により出力される。
【００２１】
回転フレーム１０６は、Ｘ線照射装置１０４と検出器１０５とを被検体Ｐを挟んで対向するように保持する円環状のフレームである。すなわち、回転フレーム１０６は、Ｘ線を照射するＸ線管球１０４１と、入射したＸ線の光子を検出する複数の検出素子を有する検出器１０５とを保持する。回転フレーム１０６は、架台駆動回路１０３により駆動され、被検体Ｐを中心とした円軌道上を高速で回転する。
【００２２】
データ収集回路１０７は、光子計数機能１０７１と、生成機能１０７２と、設定機能１０７３とを有する。これらの機能の詳細は、後述する。また、データ収集回路１０７は、回転フレーム１０６に固定されている。このため、データ収集回路１０７は、光子計数型Ｘ線ＣＴ装置１が被検体Ｐをスキャンする際、回転フレーム１０６と共に回転する。データ収集回路１０７は、例えば、プロセッサにより実現される。なお、データ収集回路１０７は、ＤＡＳとも呼ばれる。
【００２３】
送信回路１０８は、概略計数データを計数データよりも先に送信する。また、送信回路１０８は、概略計数データを優先順位に従って受信回路１１０へ送信する。さらに、送信回路１０８は、計数データを受信回路１１０へ送信する。送信回路１０８は、例えば、無線やスリップリングを使用して、概略計数データや計数データを受信回路１１０へ送信する。このため、送信回路１０８から後述するデータ記憶回路３３までの通信路のボトルネックは、送信回路１０８と受信回路１１０との間の通信路となる。また、送信回路１０８は、送信回路１０８から後述するデータ記憶回路３３までの通信路容量に十分な空きが無い場合、計数データや概略計数データをバッファ回路１０９へ送信する。
【００２４】
また、送信回路１０８は、回転フレーム１０６に固定されている。このため、送信回路１０８は、光子計数型Ｘ線ＣＴ装置１が被検体Ｐをスキャンする際、回転フレーム１０６と共に回転する。なお、送信回路１０８は、例えば、プロセッサにより実現される。
【００２５】
バッファ回路１０９は、送信回路１０８から後述するデータ記憶回路３３までの通信路容量に十分な空きが無い場合、送信回路１０８から計数データや概略計数データを受信し、これらを一時的に記憶する。また、バッファ回路１０９は、送信回路１０８から後述するデータ記憶回路３３までの通信路容量に十分な空きができた場合、記憶している計数データや概略計数データを送信回路１０８へ送信する。さらに、バッファ回路１０９は、回転フレーム１０６に固定されている。このため、バッファ回路１０９は、光子計数型Ｘ線ＣＴ装置１が被検体Ｐをスキャンする際、回転フレーム１０６と共に回転する。なお、バッファ回路１０９は、例えば、プロセッサにより実現される。また、バッファ回路１０９は、不揮発性メモリ又は揮発性メモリを含む。
【００２６】
受信回路１１０は、送信回路１０８から計数データや概略計数データを受信し、これらを後述するデータ記憶回路３３へ送信する。また、受信回路１１０は、回転フレーム１０６に固定されていない。このため、受信回路１１０は、光子計数型Ｘ線ＣＴ装置１が被検体Ｐをスキャンする際、回転フレーム１０６と共に回転しない。なお、受信回路１１０は、例えば、プロセッサにより実現される。
【００２７】
寝台２０は、天板２１と、寝台駆動回路２２とを備える。天板２１は、被検体Ｐが載せられる板状の部材である。寝台駆動回路２２は、被検体Ｐが載せられた天板２１を体軸方向へ移動させることにより、被検体Ｐを架台１０の撮影口内で移動させる。寝台駆動回路２２は、後述する記憶回路３５に記憶されているプログラムを読み出して実行することにより、その機能を実現する。寝台駆動回路２２は、例えば、プロセッサにより実現される。
【００２８】
コンソール３０は、入力回路３１と、ディスプレイ３２と、データ記憶回路３３と、画像記憶回路３４と、記憶回路３５と、処理回路３６とを備える。
【００２９】
入力回路３１は、指示や設定を入力するユーザにより使用される。入力回路３１は、例えば、マウス、キーボードに含まれる。入力回路３１は、ユーザが入力した指示や設定を処理回路３６に転送する。入力回路３１は、例えば、プロセッサにより実現される。
【００３０】
ディスプレイ３２は、ユーザが参照するモニタである。ディスプレイ３２は、例えば、液晶ディスプレイ、有機ＥＬ（Electroluminescence）ディスプレイである。ディスプレイ３２は、例えば、ＣＴ画像データ、ユーザが指示や設定を入力する際に使用するＧＵＩ（Graphical  User  Interface）、診断時に参照する指標を表示する旨の指示を処理回路３６から受ける。ディスプレイ３２は、この指示に基づいて、例えば、ＣＴ画像データ、ＧＵＩ、診断時に参照する指標を表示する。なお、ＣＴ画像データとは、ＣＴ画像そのもの又はＣＴ画像を表示する基となるデータを意味する。
【００３１】
データ記憶回路３３は、受信回路１１０から計数データや概略計数データを受信し、これらを記憶する。また、データ記憶回路３３は、後述する前処理機能３６２が前処理を施した計数データや概略計数データを受信し、これらを記憶する。なお、前処理機能３６２が前処理を施した計数データや概略計数データは、生データ（Raw  Data）とも呼ばれる。画像記憶回路３４は、後述する画像生成機能３６３により生成されたＣＴ画像データを記憶する。
【００３２】
記憶回路３５は、高電圧発生回路１０１、コリメータ調整回路１０２、架台駆動回路１０３、データ収集回路１０７、送信回路１０８、バッファ回路１０９及び受信回路１１０が上述した機能を実現するためのプログラムを記憶する。記憶回路３５は、寝台駆動回路２２が上述した機能を実現するためのプログラムを記憶する。記憶回路３５は、処理回路３６が後述する機能それぞれを実現するためのプログラムを記憶する。
【００３３】
処理回路３６は、スキャン制御機能３６１、前処理機能３６２、画像生成機能３６３及び制御機能３６４を有する。これらの機能の詳細は、後述する。なお、制御機能３６４は、架台１０、寝台２０及びコンソール３０の各構成要素を目的に応じて適切なタイミングで動作させる機能及びその他の機能を含む。処理回路３６は、例えば、プロセッサにより実現される。
【００３４】
データ記憶回路３３、画像記憶回路３４及び記憶回路３５は、記憶されている情報をコンピュータにより読み出すことができる記憶媒体を有する。記憶媒体は、例えば、ハードディスクである。
【００３５】
図２から図７を参照しながら、実施形態に係る光子計数型Ｘ線ＣＴ装置１の処理の一例について説明する。図２は、実施形態に係る光子計数型Ｘ線ＣＴ装置が行う処理の一例を示すフローチャートである。図３は、Ｘ線のエネルギー分布上に設定されたエネルギー帯の一例を示す図である。図４は、計数データのあるビュー及びあるチャンネルにおけるエネルギー帯ごとの光子の数の一例を示す図である。図５から図７は、概略計数データのあるビュー及びあるチャンネルにおけるエネルギー帯ごとの光子の数の一例を示す図である。次の説明では、図３に示すように、Ｘ線のエネルギー分布上にエネルギー帯Ｂ１、Ｂ２、…、Ｂ１６が設定されている場合を例に挙げる。
【００３６】
処理回路３６は、図２に示すように、計数データを収集する（ステップＳ１）。ステップＳ１の処理は、例えば、次のようなものである。
【００３７】
処理回路３６は、記憶回路３５からスキャン制御機能３６１に相当するプログラムを読み出して実行する。スキャン制御機能３６１は、スキャンを実行するために光子計数型Ｘ線ＣＴ装置１を制御する機能である。処理回路３６は、例えば、スキャン制御機能３６１を実行することにより、光子計数型Ｘ線ＣＴ装置１を次のように制御する。
【００３８】
処理回路３６は、寝台駆動回路２２を制御することにより、被検体Ｐを架台１０の撮影口内へ移動させる。処理回路３６は、架台駆動回路１０３を制御することにより、被検体Ｐのスキャンを実行させる。具体的には、処理回路３６は、高電圧発生回路１０１を制御することにより、Ｘ線管球１０４１へ管電圧を供給させる。処理回路３６は、コリメータ調整回路１０２を制御することにより、コリメータ１０４３の開口度及び位置を調整する。また、処理回路３６は、架台駆動回路１０３を制御することにより、回転フレーム１０６を回転させる。
【００３９】
光子計数型Ｘ線ＣＴ装置１が実行するスキャンは、例えば、コンベンショナルスキャン、ヘリカルスキャン、ステップアンドシュートである。コンベンショナルスキャンは、天板２１に載せられた被検体Ｐの位置を固定した状態で被検体Ｐをスキャンする方式である。ヘリカルスキャンは、天板２１に載せられた被検体Ｐを体軸方向に移動させながら被検体Ｐをスキャンする方式である。ステップアンドシュートは、天板２１に載せられた被検体Ｐの位置を一定の間隔で移動させてコンベンショナルスキャンを複数のスキャンエリアで行う方式である。
【００４０】
処理回路３６は、データ収集回路１０７を制御することにより、計数データを収集させる。データ収集回路１０７は、例えば、次のような処理を行う。
【００４１】
データ収集回路１０７は、記憶回路３５から光子計数機能１０７１に相当するプログラムを読み出して実行する。光子計数機能１０７１は、Ｘ線のエネルギー分布上に設定されたエネルギー帯、Ｘ線管球１０４１の位置及び検出素子ごとにＸ線の光子の数を計数した計数データを収集する。
【００４２】
具体的には、光子計数機能１０７１は、光子計数型検出回路が出力した応答波形が所定の閾値を超えている状態が継続する事象の数を計数する。これにより、光子計数機能１０７１は、検出素子に入射したＸ線の光子の数を計数する。また、光子計数機能１０７１は、検出素子が出力した応答波形の波高や波形面積を算出する。これにより、光子計数機能１０７１は、検出素子に入射したＸ線の光子のエネルギーを算出する。したがって、光子計数機能１０７１は、Ｘ線のエネルギー分布上に設定されたエネルギー帯、Ｘ線管球１０４１の位置及び検出素子ごとにＸ線の光子の数を計数することができる。
【００４３】
計数データは、Ｘ線管球１０４１の各位置、各検出素子及び各エネルギー帯において、各検出素子に入射したＸ線の光子の数を並べたデータである。ここで、Ｘ線管球１０４１の位置は、ビュー（View）と呼ばれる。あるビューにおける検出素子の回転フレーム１０６の円周方向の列は、チャンネル（Channel）と呼ばれる。つまり、計数データは、ビュー方向、チャンネル方向及びエネルギー方向を軸とする三次元直交座標系に、Ｘ線の光子の数を割り当てたデータである。したがって、計数データのあるビュー及びあるチャンネルにおけるエネルギー帯ごとの光子の数は、例えば、図４に示すヒストグラムＣ１６となる。ヒストグラムＣ１６は、あるビュー及びあるチャンネルにおいて、図３及び図４に示したエネルギー帯Ｂ１、Ｂ２、…、Ｂ１６ごとにＸ線の光子の数を計数したものである。なお、計数データは、エネルギー帯ビューデータの一種である。
【００４４】
データ収集回路１０７は、図２に示すように、概略計数データを生成する（ステップＳ２）。ステップＳ２の処理は、例えば、次のようなものである。
【００４５】
データ収集回路１０７は、記憶回路３５から生成機能１０７２に相当するプログラムを読み出して実行する。生成機能１０７２は、計数データに基づいて、計数データよりもデータ量が少ない概略計数データを生成する。
【００４６】
生成機能１０７２は、例えば、次のようにして、第１の加算計数データを生成する。生成機能１０７２は、概略計数データとして、Ｘ線管球１０４１の位置及び検出素子が同一の計数データの光子の数を全てのエネルギー帯に亘って加算した加算計数データを生成する。具体的には、生成機能１０７２は、Ｘ線管球１０４１の位置及び検出素子が同一の計数データの光子の数を図３及び図４に示したエネルギー帯Ｂ１、Ｂ２、…、Ｂ１６に亘って加算した加算計数データを生成する。このような加算計数データは、総カウントビューデータとも呼ばれる。
【００４７】
生成機能１０７２は、例えば、次のようにして、第２の加算計数データ、第３の加算計数データ及び第４の加算計数データを生成する。生成機能１０７２は、概略計数データとして、Ｘ線管球１０４１の位置及び検出素子が同一の計数データの光子の数を複数のエネルギー帯に亘って加算した加算計数データを複数生成する。
【００４８】
生成機能１０７２は、例えば、次のようにして、第２の加算計数データを生成する。生成機能１０７２は、Ｘ線管球１０４１の各位置及び各検出素子において、計数データの光子の数を図３及び図４に示したエネルギー帯Ｂ１、Ｂ２、…、Ｂ８に亘って加算する。生成機能１０７２は、Ｘ線管球１０４１の各位置及び各検出素子において、計数データの光子の数をエネルギー帯Ｂ９、Ｂ１０、…、Ｂ１６に亘って加算する。
【００４９】
この概略計数データのあるビュー及びあるチャンネルにおけるエネルギー帯ごとの光子の数は、例えば、図５に示したヒストグラムＡ２で表される。ヒストグラムＡ２は、あるビュー及びあるチャンネルにおいて、図５に示したエネルギー帯Ｂ２１及びエネルギー帯Ｂ２２ごとにＸ線の光子の数を計数したものである。エネルギー帯Ｂ２１は、図３及び図４に示したエネルギー帯Ｂ１、Ｂ２、…、Ｂ８を合わせたものである。エネルギー帯Ｂ２２は、図３及び図４に示した、エネルギー帯Ｂ９、Ｂ１０、…、Ｂ１６を合わせたものである。
【００５０】
また、生成機能１０７２は、次のようにして、第３の加算計数データを生成する。生成機能１０７２は、Ｘ線管球１０４１の各位置及び各検出素子において、計数データの光子の数を図３及び図４に示したエネルギー帯Ｂ１、Ｂ２、…、Ｂ４に亘って加算する。生成機能１０７２は、Ｘ線管球１０４１の各位置及び各検出素子において、計数データの光子の数をエネルギー帯Ｂ５、Ｂ６、…、Ｂ８に亘って加算する。生成機能１０７２は、Ｘ線管球１０４１の各位置及び各検出素子において、計数データの光子の数をエネルギー帯Ｂ９、Ｂ１０、…、Ｂ１２に亘って加算する。生成機能１０７２は、Ｘ線管球１０４１の各位置及び各検出素子において、計数データの光子の数をエネルギー帯Ｂ１３、Ｂ１４、…、Ｂ１６に亘って加算する。
【００５１】
この概略計数データのあるビュー及びあるチャンネルにおけるエネルギー帯ごとの光子の数は、例えば、図６に示したヒストグラムＡ４で表される。ヒストグラムＡ４は、あるビュー及びあるチャンネルにおいて、図６に示したエネルギー帯Ｂ４１、エネルギー帯Ｂ４２、エネルギー帯Ｂ４３及びエネルギー帯Ｂ４４ごとにＸ線の光子の数を計数したものである。エネルギー帯Ｂ４１は、図３及び図４に示したエネルギー帯Ｂ１、Ｂ２、…、Ｂ４を合わせたものである。エネルギー帯Ｂ４２は、エネルギー帯Ｂ５、Ｂ６、…、Ｂ８を合わせたものである。エネルギー帯Ｂ４３は、エネルギー帯Ｂ９、Ｂ１０、…、Ｂ１２を合わせたものである。エネルギー帯Ｂ４４は、エネルギー帯Ｂ１３、Ｂ１４、…、Ｂ１６を合わせたものである。
【００５２】
また、生成機能１０７２は、次のようにして、第４の加算計数データを生成する。生成機能１０７２は、Ｘ線管球１０４１の各位置及び各検出素子において、計数データの図３及び図４に示したエネルギー帯Ｂ１とエネルギー帯Ｂ２の光子の数を加算する。生成機能１０７２は、Ｘ線管球１０４１の各位置及び各検出素子において、計数データのエネルギー帯Ｂ３とエネルギー帯Ｂ４の光子の数を加算する。生成機能１０７２は、Ｘ線管球１０４１の各位置及び各検出素子において、計数データのエネルギー帯Ｂ５とエネルギー帯Ｂ６の光子の数を加算する。生成機能１０７２は、Ｘ線管球１０４１の各位置及び各検出素子において、計数データのエネルギー帯Ｂ７とエネルギー帯Ｂ８の光子の数を加算する。生成機能１０７２は、Ｘ線管球１０４１の各位置及び各検出素子において、計数データのエネルギー帯Ｂ９とエネルギー帯Ｂ１０の光子の数を加算する。生成機能１０７２は、Ｘ線管球１０４１の各位置及び各検出素子において、計数データのエネルギー帯Ｂ１１とエネルギー帯Ｂ１２の光子の数を加算する。生成機能１０７２は、Ｘ線管球１０４１の各位置及び各検出素子において、計数データのエネルギー帯Ｂ１３とエネルギー帯Ｂ１４の光子の数を加算する。生成機能１０７２は、Ｘ線管球１０４１の各位置及び各検出素子において、計数データのエネルギー帯Ｂ１５とエネルギー帯Ｂ１６の光子の数を加算する。
【００５３】
この概略計数データのあるビュー及びあるチャンネルにおけるエネルギー帯ごとの光子の数は、例えば、図７に示したヒストグラムＡ８で表される。ヒストグラムＡ８は、あるビュー及びあるチャンネルにおいて、図７に示したエネルギー帯Ｂ８１、Ｂ８２、…、Ｂ８８ごとにＸ線の光子の数を計数したものである。エネルギー帯Ｂ８１は、図３及び図４に示したエネルギー帯Ｂ１とエネルギー帯Ｂ２を合わせたものである。エネルギー帯Ｂ８２は、エネルギー帯Ｂ３とエネルギー帯Ｂ４を合わせたものである。エネルギー帯Ｂ８３は、エネルギー帯Ｂ５とエネルギー帯Ｂ６を合わせたものである。エネルギー帯Ｂ８４は、エネルギー帯Ｂ７とエネルギー帯Ｂ８を合わせたものである。エネルギー帯Ｂ８５は、エネルギー帯Ｂ９とエネルギー帯Ｂ１０を合わせたものである。エネルギー帯Ｂ８６は、エネルギー帯Ｂ１１とエネルギー帯Ｂ１２を合わせたものである。エネルギー帯Ｂ８７は、エネルギー帯Ｂ１３とエネルギー帯Ｂ１４を合わせたものである。エネルギー帯Ｂ８８は、エネルギー帯Ｂ１５とエネルギー帯Ｂ１６を合わせたものである。
【００５４】
なお、ステップＳ２で生成された概略計数データは、エネルギー帯ビューデータの一種である。
【００５５】
データ収集回路１０７は、図２に示すように、計数データ及び概略計数データにデータ量が少ない順に優先順位を設定し、送信回路１０８へ送信する（ステップＳ３）。ステップＳ３の処理は、例えば、次のようなものである。
【００５６】
データ収集回路１０７は、記憶回路３５から設定機能１０７３に相当するプログラムを読み出して実行する。設定機能１０７３は、概略計数データにデータ量が少ない順に優先順位を設定する。
【００５７】
光子計数機能１０７１は、ステップＳ１において、計数データを収集した。生成機能１０７２は、ステップＳ２において、第１の加算計数データ、第２の加算計数データ、第３の加算計数データ及び第４の加算計数データを生成した。これらのデータのデータ量は、計数データ、第４の加算計数データ、第３の加算計数データ、第２の加算計数データ、第１の加算計数データの順に小さくなる。したがって、設定機能１０７３は、これらのデータに対し、次のような優先順位を設定する。設定機能１０７３は、第１の加算計数データに優先順位「１」を設定する。設定機能１０７３は、第２の加算計数データに優先順位「２」を設定する。設定機能１０７３は、第３の加算計数データに優先順位「３」を設定する。設定機能１０７３は、第４の加算計数データに優先順位「４」を設定する。設定機能１０７３は、計数データに優先順位「５」を設定する。
【００５８】
送信回路１０８は、図２に示すように、計数データ及び概略計数データを優先順位に従って送信する（ステップＳ４）。ステップＳ４の処理は、例えば、次のようなものである。
【００５９】
初めに、送信回路１０８は、優先順位「１」が設定された第１の加算計数データを受信回路１１０へ送信する。次に、送信回路１０８は、優先順位「２」が設定された第２の加算計数データを受信回路１１０へ送信する。次に、送信回路１０８は、優先順位「３」が設定された第３の加算計数データを受信回路１１０へ送信する。次に、送信回路１０８は、優先順位「４」が設定された第４の加算計数データを受信回路１１０へ送信する。最後に、送信回路１０８は、優先順位「５」が設定された計数データを受信回路１１０へ送信する。
【００６０】
処理回路３６は、図２に示すように、計数データ及び概略計数データに前処理を施す（ステップＳ５）。処理回路３６は、記憶回路３５から前処理機能３６２に相当するプログラムを読み出して実行する。前処理機能３６２は、計数データ及び概略計数データを補正する機能である。この補正は、例えば、対数変換、オフセット補正、感度補正、ビームハードニング補正、散乱線補正である。前処理機能３６２により前処理が施された計数データ及び概略計数データは、データ記憶回路３３に格納される。
【００６１】
処理回路３６は、図２に示すように、優先順位に従って計数データ及び概略計数データを再構成し、ＣＴ画像データを生成する（ステップＳ６）。
【００６２】
処理回路３６は、記憶回路３５から画像生成機能３６３に相当するプログラムを読み出して実行する。画像生成機能３６３は、データ記憶回路３３に格納されている計数データ及び概略計数データを再構成し、ＣＴ画像データを生成する機能である。再構成法は、例えば、逆投影法、逐次近似法である。また、逆投影法は、例えば、ＦＢＰ（Filtered  Back  Projection）法である。
【００６３】
初めに、画像生成機能３６３は、優先順位「１」が設定された第１の加算計数データを再構成し、ＣＴ画像データを生成する。次に、画像生成機能３６３は、優先順位「２」が設定された第２の加算計数データを再構成し、ＣＴ画像データを生成する。次に、画像生成機能３６３は、優先順位「３」が設定された第３の加算計数データを再構成し、ＣＴ画像データを生成する。次に、画像生成機能３６３は、優先順位「４」が設定された第４の加算計数データを再構成し、ＣＴ画像データを生成する。最後に、画像生成機能３６３は、優先順位「５」が設定された計数データを再構成し、ＣＴ画像データを生成する。これらのＣＴ画像データは、画像記憶回路３４に格納される。
【００６４】
ディスプレイ３２は、図２に示すように、優先順位に従ってＣＴ画像データを表示する（ステップＳ７）。ステップＳ７の処理は、例えば、次のようなものである。
【００６５】
処理回路３６は、記憶回路３５から制御機能３６４に相当するプログラムを読み出して実行する。初めに、制御機能３６４は、優先順位「１」が設定された第１の加算計数データから生成されたＣＴ画像データを表示する。次に、制御機能３６４は、優先順位「２」が設定された第２の加算計数データから生成されたＣＴ画像データを表示する。次に、制御機能３６４は、優先順位「３」が設定された第３の加算計数データから生成されたＣＴ画像データを表示する。次に、制御機能３６４は、優先順位「４」が設定された第４の加算計数データから生成されたＣＴ画像データを表示する。最後に、制御機能３６４は、優先順位「５」が設定された計数データから生成されたＣＴ画像データを表示する。
【００６６】
以上、実施形態に係る光子計数型Ｘ線ＣＴ装置１について説明した。上述したように、データ収集回路１０７は、計数データに基づいて、計数データよりもデータ量が少ない概略計数データを生成し、概略計数データを計数データよりも先に送信する。このため、光子計数型Ｘ線ＣＴ装置１は、計数データや概略計数データの通信路容量を増加させること無く、撮影直後にＣＴ画像データを表示することができる。また、光子計数型Ｘ線ＣＴ装置１は、計数データや概略計数データの通信路容量を増加させる必要がない。このため、光子計数型Ｘ線ＣＴ装置１は、架台１０内のレイアウトの幅を広げることができる。また、光子計数型Ｘ線ＣＴ装置１の製造コストは、抑制される。
【００６７】
また、データ収集回路１０７は、初めに総カウントビューデータを送信する。総カウントビューデータは、データ量が少ないため、送信回路１０８からデータ記憶回路３３まで迅速に送信される。また、総カウントビューデータは、例えば、撮影部位の構造、穿刺の状況、造影剤の注入状況を鮮明に表すＣＴ画像データを迅速に生成するのに好適である。このため、光子計数型Ｘ線ＣＴ装置１は、このようなＣＴ画像データを迅速に生成し、表示することができる。
【００６８】
さらに、データ収集回路１０７は、概略計数データにデータ量が少ない順に優先順位を設定し、概略計数データを優先順位に従って送信する。具体的には、データ収集回路１０７は、第１の加算計数データ、第２の加算計数データ、第３の加算計数データ、第４の加算計数データ、計数データを優先順位に従って受信回路１１０へ送信する。このため、光子計数型Ｘ線ＣＴ装置１は、計数データや概略計数データの通信路容量を増加させること無く、診断に必要なＣＴ画像データを逐一表示していくことができる。また、光子計数型Ｘ線ＣＴ装置１は、物質弁別の対象となり得る物質の種類を次第に増やし、物質弁別の精度を向上させることができる。また、これにより、光子計数型Ｘ線ＣＴ装置１は、より診断に適したＣＴ画像データを逐一生成し、表示することができる。
【００６９】
なお、概略計数データは、上述したものに限定されない。例えば、データ収集回路１０７が以下に述べる概略計数データを生成しても、上述した効果が得られる。
【００７０】
生成機能１０７２は、概略計数データとして、Ｘ線管球１０４１の位置及び検出素子が同一の計数データの光子の数を複数のエネルギー帯に亘って加算した加算計数データを一つ生成してもよい。このような加算計数データも、エネルギー帯ビューデータの一種である。生成機能１０７２は、例えば、概略計数データとして、Ｘ線管球１０４１の位置及び検出素子が同一の計数データの光子の数をエネルギーが最小のエネルギー帯以外のエネルギー帯に亘って加算した加算計数データを一つ生成してもよい。生成機能１０７２は、例えば、概略計数データとして、Ｘ線管球１０４１の位置及び検出素子が同一の計数データの光子の数を図３及び図４に示したエネルギー帯Ｂ３、Ｂ４、…、Ｂ１６に亘って加算した加算計数データを生成してもよい。エネルギーが最小のエネルギー帯において計数されたＸ線の光子の数は、光子計数型検出回路で発生するノイズの影響を含むことがある。したがって、この加算計数データは、光子計数型検出回路で発生するノイズの影響を含まない。
【００７１】
さらに、生成機能１０７２は、概略計数データとして、Ｘ線管球１０４１の位置及び検出素子が同一の計数データの光子の数と当該光子の数が計数されたエネルギー帯のエネルギーとの積の全てのエネルギー帯に亘る総和を算出してもよい。これは、エネルギー積分ビューデータとも呼ばれる。エネルギー積分ビューデータは、総カウントビューデータと同様の効果を奏する。
【００７２】
或いは、生成機能１０７２は、計数データの一部を概略計数データとしてもよい。生成機能１０７２は、例えば、次のようにして、計数データの一部を概略計数データとする。
【００７３】
図８は、概略計数データを再構成することにより生成されたＣＴ画像データの一例を示す図である。図９は、図８に示したＣＴ画像データから導出された投影情報を示す図である。
【００７４】
図８に示したＣＴ画像データＩｍは、被検体Ｐの体軸方向と直交する面に平行な断層画像である。ＣＴ画像データＩｍは、例えば、総カウントビューデータ、エネルギー積分ビューデータを再構成することにより、生成される。このため、ＣＴ画像データＩｍは、被検体Ｐの構造を的確に表している。ＣＴ画像データＩｍは、領域Ｂ、領域Ｓ、点線Ｒ及び領域Ｍを含む。領域Ｂは、被検体Ｐ内のある臓器に相当する領域である。領域Ｓは、被検体Ｐ内のある臓器以外に相当する領域である。点線Ｒは、関心領域を示している。領域Ｍは、被検体Ｐ外に存在する空気に相当する領域である。
【００７５】
図９に示した投影情報ＰＪは、ＣＴ画像データＩｍに対し、Ｘ線管球１０４１及び検出器１０５の幾何学的な配置及び投影する方向に基づく投影処理により導出される。投影情報ＰＪは、領域ＢＰ、領域ＳＰ、点線ＲＰ及び領域ＭＰを含む。領域ＢＰは、ＣＴ画像データＩｍの領域Ｂに対応する。領域ＳＰは、ＣＴ画像データＩｍの領域Ｓに対応する。点線ＲＰで囲まれた領域は、ＣＴ画像データＩｍのうち点線Ｒで囲まれた領域に対応する。領域ＭＰは、ＣＴ画像データＩｍの領域Ｍに対応する。
【００７６】
生成機能１０７２は、計数データのうち関心領域に相当するデータを概略計数データとする。例えば、生成機能１０７２は、計数データのうち投影情報ＰＪの点線ＲＰで囲まれた領域を概略計数データとする。画像生成機能３６３は、この概略計数データを再構成することにより、被検体Ｐの関心領域のＣＴ画像データを生成することができる。なお、生成機能１０７２は、投影情報ＰＪではなく計数データに基づいて、計数データのうち概略計数データとする部分を特定してもよい。
【００７７】
或いは、生成機能１０７２は、計数データのうち関心領域を含むスライス方向に相当する部分を概略計数データとしてもよい。
【００７８】
或いは、生成機能１０７２は、計数データのうちＸ線管球１０４１の位置及び検出素子の少なくとも一方が所定の位置にあるデータを概略計数データとしてもよい。例えば、生成機能１０７２は、計数データのうちビューを所定の間隔で選択し、選択したものを概略計数データとする。また、例えば、生成機能１０７２は、計数データのうちチャンネルを所定の間隔で選択し、選択したものを概略計数データとする。
【００７９】
或いは、生成機能１０７２は、計数データのうち注目物質のＫ吸収端より低いエネルギー帯及び高いエネルギー帯のデータを概略計数データとしてもよい。
【００８０】
図１０は、注目物質のＫ吸収端近傍におけるＸ線の線減弱係数のエネルギー依存性の一例を示す図である。図１０に示した線Ｌは、注目物質のＫ吸収端近傍におけるＸ線の線減弱係数のエネルギー依存性を表している。また、図１０に示すように、エネルギー帯Ｂ１０１、エネルギー帯Ｂ１０２、エネルギー帯Ｂ１０３及びエネルギー帯Ｂ１０４が設定されている。図１０に示すように、エネルギー帯Ｂ１０１及びエネルギー帯Ｂ１０２では、注目物質の線減弱係数は、Ｘ線の光子のエネルギーが増加するにつれて単調に減少する。同様に、エネルギー帯Ｂ１０３及びエネルギー帯Ｂ１０４では、注目物質の線減弱係数は、Ｘ線の光子のエネルギーが増加するにつれて単調に減少する。また、図１０に示すように、エネルギー帯Ｂ１０２とエネルギー帯Ｂ１０３との境界には、Ｋ吸収端ＢＫが存在する。Ｋ吸収端ＢＫでは、注目物質の線減弱係数は、大きく上昇している。
【００８１】
具体的には、生成機能１０７２は、例えば、計数データのうち注目物質のＫ吸収端ＢＫより低いエネルギー帯Ｂ１０２及び高いエネルギー帯Ｂ１０３のデータを概略計数データとする。或いは、生成機能１０７２は、計数データのうち注目物質のＫ吸収端ＢＫより低いエネルギー帯Ｂ１０１及び高いエネルギー帯Ｂ１０４のデータを概略計数データとする。或いは、生成機能１０７２は、計数データのうち注目物質のＫ吸収端ＢＫより低いエネルギー帯Ｂ１０２及び高いエネルギー帯Ｂ１０４のデータを概略計数データとする。また、生成機能１０７２は、例えば、上述したステップＳ２で生成した第２の加算計数データの代わりに、これらの概略計数データを生成してもよい。
【００８２】
画像生成機能３６３は、注目物質のＫ吸収端より低いエネルギー帯及び高いエネルギー帯のデータを再構成し、二つのＣＴ画像データを生成する。そして、画像生成機能３６３は、これら二つのＣＴ画像データの差分をとり、造影剤を鮮明に表すＣＴ画像データを生成する。また、画像生成機能３６３は、このＣＴ画像データを総カウントビューデータやエネルギー積分ビューデータを再構成することにより得られたＣＴ画像データから差し引くことにより、造影剤が写ったＣＴ画像データから造影剤が写っていないＣＴ画像データを生成することができる。このようなＣＴ画像は、ＶＮＣ（virtual  non-contrast）画像と呼ばれる。
【００８３】
光子計数型Ｘ線ＣＴ装置１は、上述した方法により、一回のスキャンで造影剤が写ったＣＴ画像データ及び造影剤が写っていないＣＴ画像データを生成することができる。つまり、光子計数型Ｘ線ＣＴ装置１は、被検体Ｐの被曝量及び検査時間を抑制しつつ、造影剤が写ったＣＴ画像データ及び造影剤が写っていないＣＴ画像データを生成することができる。なお、デュアルエナジーＣＴ撮影が可能なＸ線ＣＴ装置も、上述した方法により、一回のスキャンで造影剤が写ったＣＴ画像データ及び造影剤が写っていないＣＴ画像データを生成することができる。
【００８４】
或いは、生成機能１０７２は、データ圧縮を使用して概略計数データを生成してもよい。ここで、データ圧縮とは、可逆圧縮又は非可逆圧縮である。例えば、計数データは、元の計数データから第４の加算計数データの２分の１をエネルギー帯毎に減算したデータとし（ヒストグラムＣ１６とヒストグラムＡ８の差分）、第４の加算計数データは、元の第４の加算計数データから第３の加算計数データの２分の１をエネルギー帯毎に減算したデータ（ヒストグラムＡ８とヒストグラムＡ４の差分）、第３の加算計数データは、元の第３の加算計数データから第２の加算計数データの２分の１をエネルギー帯毎に減算したデータ（ヒストグラムＡ４とヒストグラムＡ２の差分）、第２の加算計数データは、元の第２の加算計数データから第１の加算計数データの２分の１をエネルギー帯毎に減算したデータ（ヒストグラムＡ４とヒストグラムＡ２の差分）として送信すれば、情報量として重複することのない送信および受信が可能となる。同様のデータ演算方式として（符号化方式とも言える）、ウェーブレット変換やフーリエ変換といった多重解像度解析を用いることができる。必要な加算計数データあるいは基底係数を全て送信すれば、可逆圧縮となる。データ量の多い方の加算計数データ（第４や第３の加算計数データなど）や高次元基底の係数のうち、下位ビットを送信しないようにすれば、非可逆圧縮となる。生成機能１０７２が非可逆圧縮を使用した場合でも、診断に必要なデータを再現することが出来れば、光子計数型Ｘ線ＣＴ装置１は、計数データや概略計数データの通信路容量を増加させること無く、撮影直後にＣＴ画像データを表示することができる。
【００８５】
なお、上述した計数データや概略計数データは、パルスパイルアップの影響を受けていることがある。ここで、パルスパイルアップとは、一度に多数の光子が検出素子に入射した場合、個々の光子により発生したパルスが重複し、複数の光子が一つの光子として計数されてしまう現象である。この場合、生成機能１０７２は、計数されたＸ線の光子の数にパルスパイルアップの影響を補正する係数を掛ける。
【００８６】
上述したプロセッサは、例えば、ＣＰＵ（Central  Processing  Unit）、ＧＰＵ（Graphics  Processing  Unit）、特定用途向け集積回路（Application  Specific  Integrated  Circuit：ＡＳＩＣ）、プログラマブル論理デバイス（Programmable  Logic  Device：ＰＬＤ）、フィールドプログラマブルゲートアレイ（Field  Programmable  Gate  Array：ＦＰＧＡ）である。また、プログラマブル論理デバイス（Programmable  Logic  Device：ＰＬＤ）は、例えば、単純プログラマブル論理デバイス（Simple  Programmable  Logic  Device：ＳＰＬＤ）、複合プログラマブル論理デバイス（Complex  Programmable  Logic  Device：ＣＰＬＤ）である。
【００８７】
上述した実施形態では、高電圧発生回路１０１、コリメータ調整回路１０２、架台駆動回路１０３、データ収集回路１０７、送信回路１０８、バッファ回路１０９、受信回路１１０、寝台駆動回路２２及び処理回路３６は、記憶回路３５に保存されたプログラムを読み出して実行することにより、その機能を実現したが、これに限定されない。記憶回路３５にプログラムを保存する代わりに、これらの回路それぞれにプログラムを直接組み込んでもよい。この場合、これらの回路は、直接組み込まれたプログラムを読み出して実行することにより、その機能を実現する。
【００８８】
図１に示した各回路は、適宜分散又は統合されてもよい。例えば、データ収集回路１０７は、光子計数機能１０７１、生成機能１０７２及び設定機能１０７３それぞれの機能を実行する光子計数回路、生成回路及び設定回路に分散されてもよい。また、例えば、処理回路３６は、スキャン制御機能３６１、前処理機能３６２、画像生成機能３６３及び制御機能３６４それぞれの機能を実行するスキャン制御回路、前処理回路、画像生成回路及び制御回路に分散されてもよい。
【００８９】
また、高電圧発生回路１０１、コリメータ調整回路１０２、架台駆動回路１０３、データ収集回路１０７、送信回路１０８、バッファ回路１０９、受信回路１１０、寝台駆動回路２２及び処理回路３６は、任意に統合されてもよい。ただし、データ収集回路１０７及び送信回路１０８は、回転フレーム１０６に固定されている。また、受信回路１１０は、回転フレーム１０６に固定されていない。
【００９０】
以上説明した少なくとも一つの実施形態によれば、再構成画像を使用した診断を適切に行うことができる。
【００９１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９２】
１０６  回転フレーム
１０７１  光子計数機能
１０７２  生成機能
１０８  送信回路
【図１】
0006645846.tif 000002
【図２】
0006645846.tif 000003
【図３】
0006645846.tif 000004
【図４】
0006645846.tif 000005
【図５】
0006645846.tif 000006
【図６】
0006645846.tif 000007
【図７】
0006645846.tif 000008
【図８】
0006645846.tif 000009
【図９】
0006645846.tif 000010
【図１０】
0006645846.tif 000011